【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
入力面上で指示体によって指示される位置を繰り返し検出する位置検出手段と、
ディスプレイに表示されている画像に、前記位置検出手段で検出される位置の変化を反映した動きを与える出力制御手段と、を備え、
前記出力制御手段は、前記位置検出手段に検出される位置が静止した状態で所定時間が経過した後の、所定の条件が満たされている期間には、前記表示されている画像に対して前記位置の変化を反映した動きを与えないことを特徴とする、
情報処理装置。
【請求項２】
前記出力制御手段は、前記位置検出手段に検出された位置が前回検出された位置から所定の距離を超えて移動した場合に、前記ディスプレイに表示されている画像に、前記移動を反映した動きを与え、
前記位置検出手段に検出された位置が前回検出された位置から前記所定の距離を超える移動をしていない時間が前記所定時間に達した後の、前記所定の条件が満たされている期間には、前記位置検出手段に検出された位置が前回検出された位置から前記所定の距離を超えて移動しても、前記表示されている画像に対して前記移動を反映した動きを与えないことを特徴とする、
請求項１に記載の情報処理装置。
【請求項３】
前記位置検出手段に検出された位置が前回検出された位置から所定の距離を超えて移動していなければ、前記位置検出手段に検出された位置が静止していると判定する静止判定手段を備えることを特徴とする、
請求項１または２に記載の情報処理装置。
【請求項４】
前記所定の条件は、前記位置検出手段に検出される位置が静止した状態で前記所定時間が経過してから、前記位置検出手段に前記位置が検出されなくなるまでの時間の長さが所定の範囲内である場合に満たされることを特徴とする、
請求項１乃至３のいずれか１項に記載の情報処理装置。
【請求項５】
前記所定の条件は、前記位置検出手段に検出される位置が静止した状態で前記所定時間が経過してからの時間が、無効時間を越えていない場合に満たされることを特徴とする、
請求項１乃至３のいずれか１項に記載の情報処理装置。
【請求項６】
前記無効時間は、前記位置検出手段に検出された位置が静止していた時間の長さに応じて異なる長さが選ばれることを特徴とする、
請求項５に記載の情報処理装置。
【請求項７】
前記所定の条件は、前記位置検出手段に検出される位置が、静止した状態で前記所定時間が経過した後で変化したことによる移動距離が、無効化距離を越えていない場合に満たされることを特徴とする、
請求項１に記載の情報処理装置。
【請求項８】
前記無効化距離は、前記位置検出手段に検出された位置が静止していた時間の長さに応じて異なる距離が選ばれることを特徴とする、
請求項７に記載の情報処理装置。
【請求項９】
前記無効化距離は、前記位置検出手段に検出された位置が移動した方向に応じて異なる距離が選ばれることを特徴とする、
請求項８に記載の情報処理装置。
【請求項１０】
前記出力制御手段によって前記画像に与えられる動きは、前記ディスプレイに表示されているカーソルまたはスライドバーの移動であることを特徴とする、
請求項１乃至９のいずれか１項に記載の情報処理装置。
【請求項１１】
前記位置検出手段に検出される位置に関する情報に基づいて、前記所定の条件が満たされているかを判別する判別手段をさらに備え、
前記出力制御手段は、前記判別手段により前記所定の条件が満たされていないと判別されるようになった時点から、前記表示されている画像に対して、前記位置検出手段に検出される前記位置の変化を反映した動きを与えることを特徴とする、
請求項１乃至１０のいずれか１項に記載の情報処理装置。
【請求項１２】
前記位置検出手段は、前記入力面に対する前記指示体のタッチを検出するセンサにより所定の時間間隔で取得されるデータに基づいて、タッチ位置を検出することを特徴とする、
請求項１乃至１１のいずれか１項に記載の情報処理装置。
【請求項１３】
前記位置検出手段は、前記データに基づいて、前記入力面に接触していた前記指示体が前記入力面から離間したことを検出し、
前記出力制御手段は、前記位置検出手段に検出されるタッチ位置が静止した状態で前記所定時間が経過した後で、前記所定の条件が満たされている間に、前記位置検出手段が前記指示体の前記入力面からの離間を検出すると、前記タッチ位置が前記所定時間の間静止していた位置に応じた画像を前記ディスプレイに表示させることを特徴とする、
請求項１２に記載の情報処理装置。
【請求項１４】
前記位置検出手段は、前記データに基づいて、前記入力面に接触していた前記指示体が前記入力面から離間したことを検出し、
前記出力制御手段は、前記位置検出手段に検出されるタッチ位置が静止した状態で前記所定時間が経過した後で、前記位置検出手段に検出される前記タッチ位置の移動を前記ディスプレイに表示されている画像に反映し、さらに、前記位置検出手段に検出されるタッチ位置が静止した状態で前記所定時間が経過してから前記位置検出手段が前記指示体の前記入力面からの離間を検出するまでの時間が無効時間より短い場合、前記ディスプレイに表示されている画像を、前記タッチ位置が前記所定時間の間静止していた位置に応じた画像に戻すことを特徴とする、
請求項１２に記載の情報処理装置。
【請求項１５】
前記位置検出手段に検出される位置が静止した状態で所定時間が経過してから前記所定の条件が満たされている間の前記位置の変化を無効とし、前記所定の条件を満たさなくなると前記位置の変化を有効とする無効化手段を更に備え、
前記出力制御手段は、前記無効化手段に無効とされた前記位置の変化を、前記ディスプレイに表示されている画像に反映せず、
前記無効化手段は、前記位置検出手段に検出される位置が静止した状態で所定時間が経過した後に前記位置検出手段に検出される位置が再び変化し始めた時点から、無効時間内に検出される前記位置の変化を無効とし、前記無効時間を経過した後で検出される前記位置の変化を有効とすることを特徴とする、
請求項１乃至１４のいずれか１項に記載の情報処理装置。
【請求項１６】
前記無効化手段は、前記位置検出手段に検出される位置が静止した状態で所定時間が経過した後に、前記位置検出手段に検出される前記位置の変化による移動距離が無効化距離未満の間は前記位置の変化を無効とし、前記移動距離が前記無効化距離以上に達した場合の変化を有効とすることを特徴とする、
請求項１５に記載の情報処理装置。
【請求項１７】
前記無効化手段は、前記位置検出手段に検出される位置が静止した状態で所定時間が経過した後に、前記位置検出手段に検出される位置が再び変化するまでの時間に応じて前記無効時間或いは前記無効化距離を設定することを特徴とする、
請求項１６に記載の情報処理装置。
【請求項１８】
前記入力面は、位置検出センサと前記ディスプレイとが一体に構成されたタッチパネルであることを特徴とする、
請求項１乃至１７のいずれか１項に記載の情報処理装置。
【請求項１９】
情報処理装置が、
位置検出手段により、入力面上で指示体によって指示される位置を繰り返し検出する位置検出工程と、
出力制御手段により、ディスプレイに表示されている画像に、前記位置検出手段に検出される位置の変化を反映した動きを与える出力制御工程と、を含み、
前記出力制御工程では、前記位置検出手段に検出される位置が静止した状態で所定時間が経過した後の、所定の条件が満たされている期間には、前記表示されている画像に対して前記位置の変化に反映した動きを与えないことを特徴とする、
情報処理装置の制御方法。
【請求項２０】
指示体が所定の入力面にタッチする位置を検出して当該位置を表すデータを出力する位置検出センサに接続されるコンピュータを、
入力面上で指示体によって指示される位置を繰り返し検出する位置検出手段、
ディスプレイに表示されている画像に、前記位置検出手段に検出される位置の変化を反映した動きを与える出力制御手段、として機能させ、
前記出力制御手段では、前記位置検出手段に検出される位置が静止した状態で所定時間が経過した後の、所定の条件が満たされている期間には、前記表示されている画像に対して前記位置の変化に反映した動きを与えないことを特徴とする、
コンピュータプログラム。
【請求項２１】
請求項２０記載のコンピュータプログラムを記憶するコンピュータにより読み取り可能な記憶媒体。
【手続補正２】
【補正対象書類名】明細書
【補正対象項目名】発明の名称
【補正方法】変更
【補正の内容】
【発明の名称】情報処理装置、情報処理装置の制御方法、コンピュータプログラム、及び記憶媒体
【手続補正３】
【補正対象書類名】明細書
【補正対象項目名】０００８
【補正方法】変更
【補正の内容】
【０００８】
上記課題を解決する本発明の情報処理装置は、入力面上で指示体によって指示される位置を繰り返し検出する位置検出手段と、ディスプレイに表示されている画像に、前記位置検出手段で検出される位置の変化を反映した動きを与える出力制御手段と、を備え、前記出力制御手段は、前記位置検出手段に検出される位置が静止した状態で所定時間が経過した後の、所定の条件が満たされている期間には、前記表示されている画像に対して前記位置の変化を反映した動きを与えないことを特徴とする。